(57)【特許請求の範囲】
【請求項１】
Ｖ字状の屈曲断面をもつ複数枚の長尺なパネル部材と、パネル部材と略同一長さを有すると共に、長手方向に沿って平行で且つ前記パネル部材のＶ字角度と同一角度をもって交差する逆Ｖ字形の２本の連結用溝を有し、隣接する各パネル部材の側縁部同士を屈曲状態で連結するパネル部材連結具と、各パネル部材を連結して得られるパネル本体の断面形状に対応する形状を有し、両端部においてパネル本体を支持するパネル本体支持部材と、前記パネル本体及び前記パネル本体支持部材を支承して天井に取り付けるための天井取付枠とを備えてなることを特徴とする光天井システム。
【請求項２】
請求項１に記載の光天井システムに適用される複数枚の長尺なパネル部材の連結具であって、前記パネル部材と略同一の長さを有すると共に、長手方向に沿って平行で且つ前記パネル部材のＶ字角度と同一角度をもって交差する逆Ｖ字形の２本の連結用溝が形成されてなることを特徴とする光天井システム用パネル部材連結具。
【請求項３】
前記２本の連結用溝は、各断面が０°〜１８０°の交差角をもって離間して配されてなることを特徴とする請求項２記載の光天井システム用パネル部材連結具。
【請求項４】
少なくとも両端が中空部を有してなることを特徴とする請求項２又は３に記載の光天井システム用パネル部材連結具。
【発明の詳細な説明】
【０００１】
【発明の属する技術分野】
本発明は、搬送及び現場での組立が容易な光天井システム及びそれに用いるパネル部材連結具に関する。
【０００２】
【従来の技術】
従来、光天井システムとして、一体型の格子状、平板状、波板状等の形態を有する照明パネルが用いられている。これらの照明パネルは大型であって分解、組立が不能であるため、梱包が大型化し、搬送効率が低く、しかも現場における他の部材との組立にあたっても、位置決め作業などの煩雑性を伴っていた。
【０００３】
【発明が解決しようとする課題】
本発明は、かかる従来の問題点を解消し、コンパクトで保管空間の有効利用と搬送効率の向上とを図ると共に、その組立が容易な光天井システムを提供することを目的としている。
【０００４】
【課題を解決するための手段及び作用効果】
上記課題は、本請求項１に係る発明であるＶ字状の屈曲断面をもつ複数枚の長尺なパネル部材と、パネル部材と略同一長さを有すると共に、長手方向に沿って平行で且つ前記パネル部材のＶ字角度と同一角度をもって交差する逆Ｖ字形の２本の連結用溝を有し、隣接する各パネル部材の側縁部同士を屈曲状態で連結するパネル部材連結具と、各パネル部材を連結して得られるパネル本体の断面形状に対応する形状を有し、両端部においてパネル本体を支持するパネル本体支持部材と、前記パネル本体及び前記パネル本体支持部材を支承して天井に取り付けるための天井取付枠とを備えてなることを特徴とする光天井システムにより解決される。
【０００５】
個々のパネル部材、パネル材連結具、天井取付枠の構成部材などは、それぞれ分解した状態で梱包され保管されており、これらを作業現場まで搬送して、その場で組み立てる。パネル部材は、幅方向の中央において長手方向に沿って任意の屈曲角度をもって屈曲している。この屈曲部分が同一平面上にくるように複数枚のパネル部材を並列して配すると、各パネル部材の両側縁部は同一平面上にくる。
【０００６】
隣接する側縁部を上記パネル部材連結具の２本の連結用溝に嵌着して、各パネル部材を連結する。こうして、各パネル部材をパネル部材連結具を介して連結して得られるパネル本体を、例えばパネル本体の外周形状をもつ天井取付枠に支承して、これを天井に取り付ける。この組立の手順は任意であり、例えば予め天井取付枠にパネル部材連結具の両端をボルトなどにより固着して配列し、次いで各パネル部材の側縁部を前記パネル部材連結具の連結用溝に順次嵌着して組み立てることもできる。
【０００７】
また、本発明にあって、各パネル部材を連結して得られるパネル本体の断面形状に対応する形状を有し、両端部においてパネル本体を支持するパネル本体支持部材を有することにより、上記以外に次のような作用効果を奏する。
【０００８】
このパネル本体支持部材によりパネル本体を支持するには、断面が屈曲形状をもつパネル本体の両端部に、一側縁部に同様の屈曲形状をもつ板材等からなるパネル本体支持部材の一側縁部を嵌着するようにして支持させる。好ましくは、前記パネル本体支持部材を予め前記天井取付枠の内壁面に沿わせて配したのちに、パネル本体を直接、或いは組み立てて三者を一体化する。
【０００９】
このように、パネル本体をパネル本体支持部材により支持させると、パネル部材連結具をもって連結して得られるパネル本体の形態が安定化して、例えば地震などによっても容易には形態が崩れることがない。また、パネル本体支持部材にパネル本体を密着支持させると、天井取付枠に屈曲形状をもつパネル本体を組付けたとき、前記パネル本体支持部材により天井取付枠とパネル本体との間に隙間があっても、その隙間から照明光が漏れることがなく、天井と照明器具との間のコントラストが鮮明となる。
【００１０】
請求項２に係る発明は、請求項１に記載の光天井システムに適用される複数枚の長尺なパネル部材の連結具であって、前記パネル部材と略同一の長さを有すると共に、長手方向に沿って平行で且つ前記パネル部材のＶ字角度と同一角度をもって交差する逆Ｖ字形の２本の連結用溝が形成されてなることを特徴としている。このパネル部材連結具は隣接する各パネル部材を長手方向に沿って連結できるため、その連結部の強度と剛性を高めることができ、パネル本体の重量によっても、そのパネル部材の長手方向における中央部の変形が防止される。
【００１１】
請求項３に係る発明は、前記２本の連結用溝が、各断面が０°〜１８０°の交差角をもって離間して配されてなることを特徴としている。かかる連結用溝の配置により、隣接するパネル部材の連結部においても、例えばパネル部材自体の屈曲角度と一致する屈曲角度をもってパネル部材間の連結が可能となる。
【００１２】
請求項４に係る発明は、請求項２又は３のパネル部材連結具にあって、少なくとも両端が中空部を有していることを特徴としている。この中空部を連結具の全長にわたって形成することもできる。連結具の全長にわたって中空部を形成するときは、同一量の材料であっても連結具を太くして剛性をもたせることができ、更には両端の中空部をネジ穴とすれば、連結具の両端に取り付けられてパネル本体の端部形態を安定化させるための平板状の撓み防止部材に、ボルトなどを使って固着することが可能となるため好ましい。
【００１３】
【発明の実施の形態】
以下、図示した実施形態に基づいて本発明を具体的に説明する。
図１は、本発明に係る光天井システムの組立方法を示す分解図、図２はパネル部材連結具の正面図、図３は正面から見たパネル本体と天井取付枠との組立図、図４は側面から見たパネル本体と天井取付枠との組立図である。
【００１４】
本実施形態による光天井システムでは、幅方向の中央部において長手方向に沿って略Ｖ字状に屈曲断面をもつ複数枚の長尺なパネル部材１と、同パネル部材１と略同一の長さを有すると共に、その長手方向に延びる２本の連結用溝７を有し、隣接する各パネル部材１の側縁部同士を屈曲状態に連結するパネル部材連結具２と、各パネル部材１を連結して得られるパネル本体８を嵌め込んで固定し、天井に取り付けるための天井取付枠５とを備えている。
【００１５】
本実施形態による上記パネル部材連結具２の形態は、図２に示すように上部に平板部２ａを有し、その中央下部に手足を有する人形形態の断面をもつ本体２ｂが連設されている。その顔部に相当する部分は中央を貫通する中空部２ｃとされた円筒状棒材からなり、パネル部材１の連結用溝７は断面でみて左右の手足間の空間部であり、同連結用溝７は所定の角度をもって斜めに下方に開口する。すなわち、パネル部材１同士を連結する上記パネル部材連結具２の２本の連結用溝７は、所定の交差角をもって、その底部が互いに離間させて形成されている。
【００１６】
本実施形態にあっては、パネル部材１の屈曲角度を略９０°としていることから、前記２本の連結用溝７の交差角も略９０°に設定される。パネル部材連結具２を、中空部２ｃをもつ中空体にすると、重量を大きくすることなくその曲げ弾性を増大してパネル本体の撓みを小さくすることができる。また、前記中空部２ｃの端部に雌ねじを切ることもできる。
【００１７】
パネル本体８は、断面がＶ字状の複数枚のパネル部材１を、その開放側を上方に向けて並列して配し、各隣接するパネル部材１の上端側縁部同士を上記パネル部材連結具２の２本の連結用溝７にそれぞれを嵌め込み、各パネル部材１を連結して形成する。図示例では、パネル本体８の撓みやその形態の崩れを防止するために、パネル本体８の前後側面に断面コの字型の板材からなる撓み防止部材３を外側から嵌め込み、図４に示すようにボルト穴３ａからパネル連結部材２の上記雌ねじが切られた中空部２ｃの端部にボルトをねじ込んで固定している。また、パネル本体８の左右側部には、その上部にパネル部材連結具２を縦半分に切断した形態をもつ板材からなる側部固定部材６が、図１及び図４に示すように、その連結用溝にパネル部材１の上端側縁部を嵌め込んで固定されている。
【００１８】
また、本実施形態では、ジグザグ状の屈曲断面をもつパネル本体８を支持するためのパネル本体支持部材４を有している。このパネル本体支持部材４は、幅方向の一側縁部に沿って、パネル本体８の断面形状に対応した鋸歯状の形状をもつ板状体からなり、図４に示すように天井取付枠５内の前後内壁部に添設され、図３に示すようにパネル本体８をその前後両端部においてパネル本体８との間に隙間の生じない状態に密着支持する。このように、パネル本体８をパネル本体支持部材４によって密着支持させると、パネル本体８のジグザグ状の屈曲断面形態が安定化する。
【００１９】
パネル本体８及びそれを支持するパネル本体支持部材４を内部に設置した天井取付枠５は、天井に形成された天井取付枠５に対応する大きさ及び形状をもつ図示せぬ開口部に嵌め込み、天井取付枠５の側壁１０においてボルト等によって天井に固定される。
【００２０】
なお、パネル部材１の屈曲断面形状としては、図示したＶ字型の他に、Ｕ字型、Ｗ型、円弧型、コの字型等々、意匠性を有する屈曲形状であればいかなる形状であってもよい。また、上記パネル部材連結具２は、必ずしも中空体である必要はなく、中実体であってもよいが、この場合にもパネル部材連結具２の両端を中空として、その内面に雌ねじを形成することが望ましい。
【００２１】
また、パネル部材１の材質はガラスや樹脂等、通常光天井システムに用いられる材質が用いられるが、光透過性、美観及び加工の容易性等の観点からアクリル樹脂が望ましい。
【００２２】
以上の説明からも明らかなように、本実施形態によれば、複数枚のパネル部材１を各々の側縁部において２本の連結用溝を有するパネル部材連結具２によって連結してパネル本体８を構成し、パネル本体８の前後両端部をパネル本体の断面形状に対応した形状をもつパネル本体支持部材４によって支持し、これらを天井取付枠内に設置する構成としたので、各々部品の状態でコンパクトに梱包ができ、その保管空間が低減され、また部品単位で現場へと搬送することができ、且つ現場での組立も容易に行うことができる。また組み立てて天井に取り付けたときも、パネル部材の連結部や、パネル本体とパネル本体支持部材との間から光源の光が漏れるようなこともなくなる。
【図面の簡単な説明】
【図１】本発明に係る光天井システムの組み立て方法を示す分解図である。
【図２】パネル部材結合具の一例を示す正面図である。
【図３】本発明に係わる光天井システムの部分正面図である。
【図４】本発明に係わる光天井システムの部分側面図である
【符号の説明】
１    パネル部材
２    パネル部材連結具
２ａ  平坦部
２ｂ  連結具本体
２ｃ  中空部
３    撓み防止部材
３ａ  ボルト穴
４    パネル本体支持部材
５    天井取付枠
５ａ  側壁部
６    側部固定部材
７    連結用溝
８    パネル本体
【図１】
0004233076.tif 000002
【図２】
0004233076.tif 000003
【図３】
0004233076.tif 000004
【図４】
0004233076.tif 000005